【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
［Ａ］エポキシ樹脂、
［Ｂ］ジアミノジフェニルスルホンを含んでなるエポキシ樹脂硬化剤、および
［Ｃ］Ｓ−Ｂ−Ｍ、Ｂ−ＭおよびＭ−Ｂ−Ｍからなる群から選ばれた少なくとも一種のブロック共重合体（前記の各ブロックは共有結合によって連結されているか、一方のブロックに一つの共有結合形成を介して結合され、他方のブロックに他の共有結合形成を介して結合された中間分子によって連結されており、ブロックＭはポリメタクリル酸メチルのホモポリマーまたはメタクリル酸メチルを少なくとも５０重量％含むコポリマーであり、ブロックＢは［Ａ］エポキシ樹脂およびブロックＭに非相溶で、そのガラス転移温度Ｔｇが２０℃以下であり、ブロックＳはエポキシ樹脂、ブロックＢおよびブロックＭに非相溶で、そのガラス転移温度ＴｇはブロックＢのガラス転移温度Ｔｇより高い。）
を含んでなるエポキシ樹脂組成物であって、前記の［Ａ］エポキシ樹脂が、
［Ａ１］ビスフェノール型エポキシ樹脂と、
［Ａ２］フェノールノボラック型エポキシ樹脂、オルトクレゾールノボラック型エポキシ樹脂、ビフェニル型エポキシ樹脂、ジシクロペンタジエン型エポキシ樹脂、ジフェニルフルオレン型エポキシ樹脂、および、これらのハロゲンあるいはアルキル置換体からなる群から選ばれた少なくとも一種の高芳香族環・脂肪族環含有率型エポキシ樹脂
を含んでなることを特徴とするエポキシ樹脂組成物。
【請求項２】
［Ｃ］ブロック共重合体が、スチレン−ブタジエン−メタクリル酸メチル共重合体である、請求項１に記載のエポキシ樹脂組成物。
【請求項３】
［Ｃ］ブロック共重合体が、メタクリル酸メチル−ブチルアクリレート−メタクリル酸メチル共重合体である、請求項１に記載のエポキシ樹脂組成物。
【請求項４】
［Ａ２］高芳香族環・脂肪族環含有率型エポキシ樹脂が、ビフェニル型エポキシ樹脂、ジシクロペンタジエン型エポキシ樹脂およびジフェニルフルオレン型エポキシ樹脂からなる群から選ばれた少なくとも1種を含んでなる、請求項１〜３のいずれかに記載のエポキシ樹脂組成物。
【請求項５】
請求項１〜４のいずれかに記載のエポキシ樹脂組成物と強化繊維からなるプリプレグ。
【請求項６】
請求項１〜４のいずれかに記載のエポキシ樹脂組成物と強化繊維とを硬化させてなる繊維強化複合材料。
【手続補正２】
【補正対象書類名】明細書
【補正対象項目名】００１２
【補正方法】変更
【補正の内容】
【００１２】
すなわち、本発明のエポキシ樹脂組成物は、
［Ａ］エポキシ樹脂、
［Ｂ］ジアミノジフェニルスルホンを含んでなるエポキシ樹脂硬化剤、および
［Ｃ］Ｓ−Ｂ−Ｍ、Ｂ−ＭおよびＭ−Ｂ−Ｍからなる群から選ばれた少なくとも一種のブロック共重合体（前記の各ブロックは共有結合によって連結されているか、一方のブロックに一つの共有結合形成を介して結合され、他方のブロックに他の共有結合形成を介して結合された中間分子によって連結されており、ブロックＭはポリメタクリル酸メチルのホモポリマーまたはメタクリル酸メチルを少なくとも５０重量％含むコポリマーであり、ブロックＢは［Ａ］エポキシ樹脂およびブロックＭに非相溶で、そのガラス転移温度Ｔｇが２０℃以下であり、ブロックＳはエポキシ樹脂、ブロックＢおよびブロックＭに非相溶で、そのガラス転移温度Ｔｇまたは融点ＴｆはブロックＢのガラス転移温度Ｔｇより高い。）
を含んでなるエポキシ樹脂組成物であって、前記の［Ａ］エポキシ樹脂が、
［Ａ１］ビスフェノール型エポキシ樹脂と
［Ａ２］フェノールノボラック型エポキシ樹脂、オルトクレゾールノボラック型エポキシ樹脂、ビフェニル型エポキシ樹脂、ジシクロペンタジエン型エポキシ樹脂、ジフェニルフルオレン型エポキシ樹脂、および、これらのハロゲンあるいはアルキル置換体からなる群から選ばれた少なくとも一種の高芳香族環・脂肪族環含有率型エポキシ樹脂
を含んでなることを特徴とするエポキシ樹脂組成物である。
【手続補正３】
【補正対象書類名】明細書
【補正対象項目名】００２８
【補正方法】変更
【補正の内容】
【００２８】
本発明で用いられる［Ｂ］ジアミノジフェニルスルホンを含んでなるエポキシ樹脂硬化剤は、エポキシ樹脂を硬化するために必要である。
【手続補正４】
【補正対象書類名】明細書
【補正対象項目名】００２９
【補正方法】変更
【補正の内容】
【００２９】
すなわち、［Ｂ］ジアミノジフェニルスルホンを含んでなるエポキシ樹脂硬化剤は、エポキシ基と反応し得る活性基を有する化合物である。
【手続補正５】
【補正対象書類名】明細書
【補正対象項目名】００３０
【補正方法】変更
【補正の内容】
【００３０】
芳香族ポリアミンをエポキシ樹脂硬化剤として用いると、耐熱性の良好なエポキシ樹脂硬化物が得られる。特に、本発明のエポキシ樹脂硬化剤に含まれるジアミノジフェニルスルホンは、分子中に極性基（スルホニル基）を有するため、優れた耐熱性を有し、かつ弾性率の高いエポキシ樹脂硬化物が得られる。
【手続補正６】
【補正対象書類名】明細書
【補正対象項目名】００３１
【補正方法】変更
【補正の内容】
【００３１】
一般的にかかる極性基を有するジアミノジフェニルスルホンは、ポリメタクリル酸メチルと相溶性が悪いため、極性基を有するジアミノジフェニルスルホンと［Ｃ］ブロック共重合体を含んでなるエポキシ樹脂組成物では、硬化中にブロック共重合体が分離し、析出することがある。本発明においては［Ａ１］ビスフェノール型エポキシ樹脂および［Ａ２］高芳香族環・脂肪族環含有率型エポキシ樹脂を組み合わせることによって、エポキシ樹脂と［Ｃ］ブロック共重合体との相溶性が向上したため、極性基を有するジアミノジフェニルスルホンが好適に用いられるようになったものである。極性基を有するジアミノジフェニルスルホンの中でも耐熱性に優れるだけでなく、さらに［Ｃ］ブロック共重合体との相溶性も確保できる点から、３，３’−ジアミノジフェニルスルホン、４，４’−ジアミノジフェニルスルホンおよびそれらの組み合わせが特に好ましく用いられる。
【手続補正７】
【補正対象書類名】明細書
【補正対象項目名】００３２
【補正方法】変更
【補正の内容】
【００３２】
［Ｂ］ジアミノジフェニルスルホンを含んでなるエポキシ樹脂硬化剤の添加量は、エポキシ樹脂と［Ｃ］ブロック共重合体との相溶性を確保するため、全エポキシ樹脂１００重量部に対し多くとも５０重量部であることが好ましい。かかるエポキシ樹脂硬化剤の添加量が５０重量部より多い場合、エポキシ樹脂組成物の硬化中に［Ｃ］ブロック共重合体が分離し析出することがある。硬化性と相溶性との両立の観点から、かかるエポキシ樹脂硬化剤の添加量は、より好ましくは１５〜５０重量部の範囲である。
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】変更
【補正の内容】
【００３５】
また、［Ａ］エポキシ樹脂と［Ｂ］ジアミノジフェニルスルホンを含んでなるエポキシ樹脂硬化剤、あるいはそれらの一部を予備反応させた物を組成物中に配合することもできる。この方法は、粘度調節や保存安定性向上に有効である場合がある。